(57)【特許請求の範囲】
【請求項１】
音声再生デバイスを介して提供される音声コンテンツを追加のデジタルコンテンツと統合するシステムであって、
前記音声コンテンツの統合のための命令プログラムを記憶するコンピュータ可読媒体を含むデータストアと、
前記命令プログラムを実行するプロセッサと、
地上波ラジオ局から前記音声コンテンツを取得し、且つ、インターネットストリーミングチャンネルから前記追加のデジタルコンテンツを取得するように構成されるコンテンツリトリーバであって、前記地上波ラジオ局及び前記インターネットストリーミングチャンネルが音声プログラムと関連する、前記コンテンツリトリーバと、
前記音声コンテンツの提供と共に、前記追加のデジタルコンテンツをヒューマン‐マシンインターフェース（ＨＭＩ）ディスプレイに伝達するように構成されるディスプレイドライバと、
を含み、
前記受信された音声コンテンツが、前記地上波ラジオ局を前記インターネットストリーミングチャンネルと一致させることに関連する情報を含み、
前記追加のデジタルコンテンツが、非音声コンテンツであり、前記地上波ラジオ局からの前記音声コンテンツに対応するデジタル音声コンテンツと共に、前記インターネットストリーミングチャンネルから同時に供給される、システム。
【請求項２】
前記音声再生デバイスのモードの通知を受信するように構成されるモード受信機をさらに含み、前記モードが前記地上波ラジオ局の受信であることに応答して、前記コンテンツリトリーバが前記追加のデジタルコンテンツを取得する、請求項１に記載のシステム。
【請求項３】
ユーザが前記追加のデジタルコンテンツを表示させるか否かを決定することが可能に構成されたディスプレイセレクタをさらに含む、請求項１に記載のシステム。
【請求項４】
前記追加のデジタルコンテンツが、アクセスされることに応答して第三者ソースからのコンテンツを配信するグラフィカルユーザインターフェースにより規定される、請求項１に記載のシステム。
【請求項５】
前記ディスプレイドライバが、既定の事象が発生するまで、前記追加のデジタルコンテンツの配信を遅延させるように構成される、請求項１に記載のシステム。
【請求項６】
前記既定の事象が駐車と関連する信号である、請求項５に記載のシステム。
【請求項７】
前記追加のデジタルコンテンツが時間データを含み、前記時間データが、表示される前記音声コンテンツでの特定の地点を指示す、請求項１に記載のシステム。
【請求項８】
音声再生デバイスを介して提供される音声コンテンツを追加のデジタルコンテンツと統合するシステムであって、
前記音声コンテンツの統合のための命令プログラムを記憶するコンピュータ可読媒体を含むデータストアと、
前記命令プログラムを実行するプロセッサと、
地上波ラジオ局から前記音声コンテンツを取得し、且つ、インターネットストリーミングチャンネルから前記追加のデジタルコンテンツを取得するように構成されるコンテンツリトリーバであって、前記地上波ラジオ局及び前記インターネットストリーミングチャンネルが一致する音声プログラムを提供するものとして登録される、前記コンテンツリトリーバと、
前記追加のデジタルコンテンツを出力デバイスに通信するように構成される拡張コンテンツドライバと、
を含み、
前記受信された音声コンテンツが、前記地上波ラジオ局を前記インターネットストリーミングチャンネルと一致させることに関連する情報を含み、
前記追加のデジタルコンテンツが、非音声コンテンツであり、前記地上波ラジオ局からの前記音声コンテンツに対応するデジタル音声コンテンツと共に、前記インターネットストリーミングチャンネルから同時に供給される、システム。
【請求項９】
前記音声再生デバイスのモードの通知を受信するように構成されるモード受信機をさらに含み、前記モードが前記地上波ラジオ局の受信であることに応答して、前記コンテンツリトリーバが前記追加のデジタルコンテンツを取得する、請求項８に記載のシステム。
【請求項１０】
ユーザが前記追加のデジタルコンテンツを出力させるか否かを決定することが可能に構成されたディスプレイセレクタをさらに含む、請求項８に記載のシステム。
【請求項１１】
前記追加のデジタルコンテンツが、アクセスされることに応答して第三者ソースからのコンテンツを配信するグラフィカルユーザインターフェースにより規定される、請求項８に記載のシステム。
【請求項１２】
前記拡張コンテンツドライバが、既定の事象が発生するまで、前記追加のデジタルコンテンツの配信を遅延させるように構成される、請求項８に記載のシステム。
【請求項１３】
前記既定の事象が駐車と関連する信号である、請求項１２に記載のシステム。
【請求項１４】
前記追加のデジタルコンテンツが時間データを含み、前記時間データが、表示される前記音声コンテンツでの特定の地点を指示す、請求項８に記載のシステム。
【請求項１５】
前記インターネットストリーミングチャンネルが利用できないことに応答して、前記モードが、前記地上波ラジオ局の受信及び前記追加のデジタルコンテンツの提示に切り換わる、請求項２に記載のシステム。
【発明の詳細な説明】
【技術分野】
【０００１】
本発明は、音声コンテンツと追加のデジタルコンテンツとの統合に関する。
【背景技術】
【０００２】
従来から、ラジオは、様々な周波数で電波を伝搬する送信機と、こうした電波（「地上波ラジオ」）を受信するように構成された受信機とを介して提供されてきた。この情報は、従来から大部分は音声として提供されてきた。最近では、音声情報はテキストなどの他の情報により拡張されている。
【０００３】
ラジオの標準的な実施態様には、ソースアンテナからの情報の地上波放送が含まれる。ラジオは受信アンテナを備えて構成でき、特定の周波数を受信するように同調できる。同調される周波数は、音声情報に変換されるのに十分強力な、空気中に伝搬される波を拾うことができる。
【０００４】
ラジオは、多数の状況において携帯または実施できる。例えば、或る人物はポータブルラジオを携帯して、スピーカまたはヘッドホンを介してこうしたラジオを聴取できる。しばしば、ラジオは、自動車において、センタースタック領域内またはその周辺などで実施される。
【０００５】
最近では、様々な方法が音声または他の情報を送信するのに用いられている。１つのこのような一般的な実施態様は、インターネットストリーミングチャンネルである。インターネットストリーミングチャンネルとは、特定のウェブサイト、またはサイトに接続されたアプリケーションであり、インターネットを利用可能なデバイスに音声情報を配信可能である。インターネットを利用可能なデバイスのユーザは、特定のチャンネルに入ることができ、または、推薦サービスもしくはグラフィカルユーザインターフェース（ＧＵＩ）を介してこうしたチャンネルにアクセスできる。
【０００６】
インターネットストリーミングチャンネルは、確立されたインターネット接続を介してデータのパケットを送信する。インターネット接続は、デジタルデータの送信及び受信を可能にする通信プロトコルにより促進される任意の種類の広域ネットワーク（ＷＡＮ）とすることができる。インターネット接続は、衛星による無線通信により、または、光ファイバ線もしくは電話接続などの通信用に確立された媒体を介した接続により促進できる。
【０００７】
乗り物は、インターネット接続を備えて実施されている。それゆえ、乗り物のセンタースタック位置に一般に見つけられるような音声ヘッドユニットは、インターネットストリーミングチャンネルを介してデータにアクセスする機能を備える。
【発明の概要】
【発明が解決しようとする課題】
【０００８】
しばしば、地上波ラジオ局と関連する状況が、インターネットストリーミング専用のチャンネルを介して提供されることもある。それゆえ、音声プログラムの消費者は、ラジオ放送かインターネットストリーミングチャンネルかを選択できる。
【０００９】
インターネットストリーミングチャンネルの一定の受信機が、デジタル表示または二次出力デバイスを備えることもある。しばしば、これは、インターネットストリーミングチャンネルから送信される音声コンテンツと共に送信されるデジタル情報を提供可能な画面である。追加のデジタル情報は、ユーザが関与可能なコンテンツに、例えばヒューマン‐マシンインターフェース（ＨＭＩ）に表示されるコンテンツに変換できる。それゆえ、追加のコンテンツは、クリック可能なもの、アクセス可能なもの、または同様のものとすることができ、いったん関与されると、ユーザに、追加の情報にアクセスすることを可能にできる。追加の情報は、ストリーミングされる音声コンテンツに関する情報を提供するテキストであってもよく、または、音声情報と関連するスポンサーもしくは商用アプリケーションへのリンクであってもよい。あるいは、追加の情報は、音声コンテンツを拡張するために提供される画像または映像であってもよい。
【００１０】
以下の説明は、音声コンテンツを、（リアルタイムの、または記憶された）追加のデジタルコンテンツと統合するシステム及び方法に関する。例示的な実施形態は、システム、方法、本明細書において開示される態様と関連する個人用デバイス上に提供されるアプリケーションのうちのいずれかを対象としてもよい。
【課題を解決するための手段】
【００１１】
本発明の追加の特徴は、以下の説明において述べられ、部分的にこうした説明から明らかとなり、または、本発明の実施によって習得できる。
【００１２】
音声再生デバイスを介して提供される音声コンテンツを追加のデジタルコンテンツと統合するシステム及び方法が、本明細書において提供される。システムは、地上波ラジオ局から音声コンテンツを取得し、且つ、インターネットストリーミングチャンネルから追加のデジタルコンテンツを取得するように構成されるコンテンツリトリーバ（content retriever）であって、地上波ラジオ局及びインターネットストリーミングチャンネルが音声プログラムと関連する、コンテンツリトリーバと、音声コンテンツの提供と共に、ヒューマン‐マシンインターフェース（ＨＭＩ）ディスプレイに追加のデジタルコンテンツを伝達するように構成されるディスプレイドライバとを備える。
【００１３】
前述の一般的な説明と以下の詳細な説明との両方は例示的且つ説明的なものであり、請求される発明についてのさらなる説明を提供することが意図されることを理解すべきである。他の特徴及び態様は、以下の詳細な説明、図面及び特許請求の範囲から明らかとなろう。
詳細な説明は以下の図面を参照する。図面において、同様の数字は同様のアイテムを指す。
【図面の簡単な説明】
【００１４】
【図１】例示的なコンピュータを示すブロック図である。
【図２】追加のコンテンツをラジオ放送とシームレスに統合するシステムの例示的な実施態様を示す。
【図３】図２におけるシステムと関連する例示的なディスプレイを示す。
【図４】追加のコンテンツをラジオ放送とシームレスに統合する方法の実施例を示す。
【図５】ラジオベースのプログラムと関連するコンテンツを記憶する方法の実施例を示す。
【発明を実施するための形態】
【００１５】
本発明は、本発明の例示的な実施形態を示す添付の図面を参照して以降でより完全に説明される。しかし、本発明は、多くの様々な形で具体化でき、本明細書において述べる実施形態に限定されると解釈すべきでない。むしろ、これらの例示的な実施形態は、本開示が十分なものであり、また、当業者に本発明の範囲を完全に伝えるように提供される。本開示の都合上、「それぞれのうちの少なくとも１つ」は、多数の列挙される要素の組合せを含め、それぞれの言語の後に列挙される要素の任意の組合せを意味すると解釈されることが理解されよう。例えば、「Ｘ、Ｙ及びＺのうちの少なくとも１つ」は、Ｘのみ、Ｙのみ、Ｚのみ、または２つ以上のアイテムＸ、Ｙ及びＺの任意の組合せ（例えば、ＸＹＺ、ＸＺ、ＹＺ、Ｘ）を意味すると解釈されよう。図面及び詳細な説明の全体を通して、特に記述がない場合は、同一の図面参照数字は、同一の要素、特徴及び構造を指すと理解される。これらの要素の相対的な大きさ及び描写は、明確さのため、説明のため、及び便宜上、誇張されることがある。
【００１６】
従来のラジオなどの電子デバイスは、ラジオ放送を受信するように構成される。背景技術において説明したように、ラジオ放送は、波がアンテナと共振し、且つ、同調システムによりフィルタ及び受信されることにより、地上波送信機を介して受信される。電波は何十年もこの方法で放送されており、上記で説明したように、家庭用娯楽機器システム及び乗り物などの様々な状況で実施されてきた。
【００１７】
ますます、音声コンテンツは別の方法で、すなわちインターネットストリーミングチャンネルで提供されている。インターネットストリーミングチャンネルは、ウェブポータル、アプリケーション、または同様のものを介してアクセスできる。手動の要求または自動のアルゴリズムに応答するインターネットストリーミングチャンネルは、インターネット接続を介して受信機に送信されるべき音声コンテンツを選択する。
【００１８】
音声コンテンツは、拡張コンテンツ（例えば、視覚的要素、非視覚的要素、音声、テキスト、マルチメディア、メタデータ等）を備えることができる。拡張コンテンツは、インターネット接続を介して送信されるデジタルデータとすることができる。それゆえ、受信機は、提供される音声コンテンツと共に、追加の写真、テキスト、メタデータ、映像、またはそれらの組合せを表示可能とすることができる。拡張コンテンツは、これに限定されるのではないが、グラフィクス要素（静止、シーケンスまたは動画化されたもの）、ビデオクリップ、テキスト（読むためのテキストとして表示されるもの、またはＴＴＳを使用して音声として出力されるもの）、記憶され、後にアクセス可能であるように意図される（例えば、共通の圧縮形式で記憶される）音声コンテンツ、及び、システム（例えば、提案された再生リスト）内で有用であろうデータコンテンツのタイプとすることができる。
【００１９】
ますます、送信の一形態（地上波放送またはインターネット）と従来から関連する局は、両方の媒体で提供されている。それゆえ、ユーザまたはオペレータは、音声の両方の形態を受信可能なデバイスを有することができる。
【００２０】
特定の場合において、デバイスは、より受信可能な信号を選択するシステムまたは技法を備えることがある。より受信可能であることにより、信号は、より明瞭な再生を可能にする方法で受信される。それゆえ、ラジオ放送がより受信可能である場合、デバイスは、ラジオ送信を提供するように構成できる。別の実施例において、インターネットストリーミングされるチャンネルがより強力である場合、デバイスは、インターネットストリーミングチャンネルと関連するデータを提供及び受信するように構成できる。
【００２１】
両ソース間の切り換えを促進する一定の技術が提案されてきた。これらの場合において、こうした技術は、検出された信号、ユーザ選好、または別の技法に基づいて自動的に切り換える。
【００２２】
しかし、ユーザが上記の方法でシステムに関与することに応答して、音声コンテンツのリスナーがラジオ放送を提供されている場合、リスナーは、インターネットストリーミングチャンネルと関連する拡張コンテンツなどの他の情報を取り逃している可能性がある。
【００２３】
ラジオコンテンツを拡張コンテンツとシームレスに統合する方法及びシステムが本明細書において開示される。本明細書において開示されるシステム及び方法は、コンテンツを受信するデバイスだけでなく、コンテンツプロバイダにも関連する。それゆえ、本明細書において開示される態様を用いると、リスナーは地上波で提供されるラジオ放送を聴取でき、同様のインターネットストリーミングチャンネルと共に提供される拡張コンテンツをさらに受信できる。一実施例において、本明細書において開示されるシステム及び方法により、ユーザは、インターネットストリームが受信し難い（すなわち、ネットワーク接続不良に起因する）場合でさえ、拡張コンテンツにアクセスすることが可能となる。別の実施例において、本明細書において開示されるシステム及び方法により、ユーザは、インターネットストリームと関連する拡張コンテンツ（前もってダウンロードされたもの）に依然としてアクセスしながら、インターネットストリームの受信を遮断することが可能となる。
【００２４】
１つの利点は、インターネット接続が失われる（且つ、ユーザがラジオ放送からコンテンツを依然として受信可能である）場合に、ユーザがインターネットから前もって受信した拡張コンテンツを利用できることである。
【００２５】
本明細書において開示される別の概念は、本明細書において開示される態様に基づく音声コンテンツのキャッシュ及びストアである。本質的に、提供されるデバイスは、地上波ラジオコンテンツに関与するリスナーが、当該コンテンツに、インターネットストリーミングにより提供されるコンテンツに関与可能な方法で、関与することができるように修正できる。それゆえ、オペレータが地上波ラジオコンテンツを聴取しており、一時停止、巻き戻し、早送り、または異なる位置をシーク（seek）する場合、本明細書において開示されるデバイスはインターネットストリーミングされるコンテンツにアクセスでき（コンテンツそれ自体を提供可能である）、オペレータの要求を満たすことができる。
【００２６】
図１は、例示的なコンピュータ１００を示すブロック図である。コンピュータ１００は、チップセット１０４に結合される少なくとも１つのプロセッサ１０２を備える。チップセット１０４は、メモリコントローラハブ１２０及び入力／出力（Ｉ／Ｏ）コントローラハブ１２２を備える。メモリ１０６及びグラフィクスアダプタ１１２はメモリコントローラハブ１２０に結合され、ディスプレイ１１８はグラフィクスアダプタ１１２に結合される。記憶装置１０８、キーボード１１０、ポインティングデバイス１１４及びネットワークアダプタ１１６は、Ｉ／Ｏコントローラハブ１２２に結合される。コンピュータ１００の他の実施形態は異なるアーキテクチャを有してもよい。
【００２７】
記憶装置１０８は、ハードドライブ、コンパクトディスク、リードオンリメモリ（ＣＤ‐ＲＯＭ）、ＤＶＤ、または固体メモリ装置などの非一時的なコンピュータ可読記憶媒体である。メモリ１０６は、プロセッサ１０２により使用される命令及びデータを保持する。ポインティングデバイス１１４は、マウス、トラックボール、または他のタイプのポインティングデバイスであり、コンピュータ１００にデータを入力するためにキーボード１１０と組合せて使用される。ポインティングデバイス１１４は、ゲーム用システムコントローラ、またはゲーム用システムを制御するのに使用される任意のタイプのデバイスとすることができる。例えば、ポインティングデバイス１１４は、特定のユーザを検出するために生体認証スキャニングを用いる映像または画像取込デバイスに接続できる。特定のユーザは、コンピュータ１００の様々な態様を制御するためにポインティングデバイス１１４に命令するように動きまたはジェスチャを用いることができる。
【００２８】
グラフィクスアダプタ１１２は、ディスプレイ１１８に画像または他の情報を表示する。ネットワークアダプタ１１６は、コンピュータシステム１００を１つまたは複数のコンピュータネットワークに結合する。
【００２９】
コンピュータ１００は、本明細書において説明される機能を提供するためのコンピュータプログラムモジュールを実行するように構成される。本明細書において使用される場合、「モジュール」という用語は、特定の機能を提供するのに使用されるコンピュータプログラム論理に関連する。それゆえ、モジュールはハードウェア、ファームウェア及び／またはソフトウェアにおいて実施できる。一実施形態において、プログラムモジュールは、記憶装置１０８に記憶され、メモリ１０６にロードされ、プロセッサ１０２によって実行される。
【００３０】
本明細書において開示されるエンティティ及びプロセスにより使用されるコンピュータのタイプは、エンティティにより必要とされる実施形態及び処理能力に応じて変化してよい。コンピュータ１００は、携帯型デバイス、タブレット、スマートフォン、または上記で列記した要素を備える任意の種類のコンピューティング要素とすることができる。例えば、ハードディスク、固体メモリまたは記憶装置などのデータ記憶装置は、本明細書において説明される機能を提供するために協働する多数のブレードサーバを含む分散型データベースシステムに格納されるかもしれない。コンピュータは、キーボード１１０、グラフィクスアダプタ１１２及びディスプレイ１１８などの上述の構成要素のうちのいくつかを欠いてもよい。
【００３１】
コンピュータ１００は、本明細書において開示されるコンテンツ共有サービスのためのサーバ（図示せず）として機能できる。コンピュータ１００は、サーバを構築するように他のコンピュータ１００デバイスと集合してもよい。サーバを構成する様々なコンピュータ１００デバイスはネットワークを介して互いに通信できる。
【００３２】
図２は、追加のコンテンツをラジオ放送とシームレスに統合するシステム２００の例示的な実施態様を示す。システム２００はコンピュータ１００上で実施できる。システム２００は、モード受信機２１０、コンテンツリトリーバ２２０、ディスプレイセレクタ２３０及びディスプレイドライバ２４０を備える。
【００３３】
上記で示すように、無線デバイス２６０は種々のソースから局２６１を受信するように構成される。例えば、局２６１は、ラジオ塔２８０から放送信号２８１を介して発生できる。あるいは、局２６１は、インターネットストリーミングチャンネル２９５（サーバ２９０をホストとする）からデータパケット２９１及び２９２を介して発生できる。データパケット２９１は、インターネットストリーミングチャンネル２９５と関連する音声情報に関連する。データパケット２９２は、同一のインターネットストリーミングチャンネル２９５と関連する拡張コンテンツに関連する。
【００３４】
無線デバイス２６０は、同調された局２６１が地上波ラジオ局を有するか、インターネットストリーミングチャンネルを有するか、またはその両方を有するかを判定するシステムを備えて構成できる。地上波ラジオ局とインターネットストリーミングチャンネルとのどちらを再生するかを選択することは知られており、それゆえ、無線デバイス２６０が両者のいずれかをどのように選択するかについての説明は省略される。
【００３５】
モード受信機２１０は、無線デバイスが属する特定のモードを受信するように構成される。特定の場合において、無線デバイス２６０は、ラジオ受信モード（すなわち、電波２８１を介して局情報２６１を受信するモード）にあることができる。別の場合において、無線デバイス２６０はインターネットストリーミングチャンネル２９５（音声データパケット２９１を介して局２６１）から音声情報を受信するように構成できる。モード受信機２１０は、レジスタまたは永続ストア２０５（記憶装置１０８などの上記で列記した、列挙された記憶装置のうちのいずれかとすることができる）に現在のモードを一時的に記憶できる。
【００３６】
コンテンツリトリーバ２２０は、無線デバイス２６０がラジオ受信モードにあるか、インターネットストリーミング受信モードにあるかに関わらず、データパケット２９２などのコンテンツを取得するように構成される。説明するように、データパケット２９２は、データパケット２９１（インターネットストリーミングチャンネル２９５から供給される音声情報）と関連するコンテンツに関する。コンテンツは、音声コンテンツ、非音声コンテンツ、メタデータ、テキスト、映像、または同様のものなどの、データパケット２９１と関連するコンテンツを拡張するように提供される任意の種類のコンテンツとすることができる。それゆえ、無線デバイス２６０が、ラジオ塔２７０とインターネットストリーミングチャンネル２９５のどちらから音声コンテンツを提供していようとも、可能な場合には、コンテンツリトリーバ２２０はこのコンテンツを取得する。
【００３７】
ディスプレイセレクタ２３０は、ＨＭＩディスプレイ２６５（無線デバイス２６０を備えるか、またはこれと一体化される）がデータパケット２９２と関連するコンテンツを表示すべきかどうかを選択するように構成できる。表示すべきである場合、ディスプレイドライバ２４０は、表示情報２４１（データパケット２９２と関連する受信されたコンテンツから描写される表示データである）を送信する。別の実施例において、データパケット２９２と関連する拡張コンテンツは、非視覚的なものであってもよい。それゆえ、提示は、二次デバイス（すなわち、スマートフォンまたはタブレット）、スピーカ、または同様のものなどの、ＨＭＩディスプレイ２６５によりサポートされない別の形とすることができる。
【００３８】
また、電子制御ユニット（ＥＣＵ）２４５が図２に示される。ＥＣＵ２４５は、例えば乗り物に一般に実装される外部の電子制御回路から信号を発生できる。表示情報２４１を表示するという判定は、ＥＣＵ２４５からの特定の制御信号の受信に応答して遅延できる。１つのこのような実施例は、乗り物が非運転状態にある（または駐車している）ことを示す信号である。
【００３９】
図３に示すように、例示的なＨＭＩディスプレイ２６５が、画面３００が表示された状態で示されている。画面３００は、無線デバイス２６０を伴うか、またはこれと一体化できるＨＭＩディスプレイ２６５の例示的な表示である。様々な要素３１０、３２０、３３０及び３４０は、一般にＨＭＩディスプレイ２６５と共に置かれるグラフィカルユーザインターフェース（ＧＵＩ）要素である。
【００４０】
画面３００に示すように、ユーザには、ＧＵＩ３１０（ラジオ局）またはＧＵＩ３２０（インターネットストリーミングチャンネル）を採用する選択肢が提示される。図３に示すように、ＧＵＩ３１０が強調表示されており、それゆえ、ユーザがこの選択肢を採用したことが示される。局がインターネットストリーミングチャンネルと対応する地上波ラジオ局を有する場合、ＨＭＩディスプレイ２６５はＧＵＩ３１０と３２０との両方を提示できる。あるいは、ユーザがＧＵＩ３１０と３２０のいずれかを採用する選択肢を有してもよく、現在のモードが、指示された現在のモードと反対である場合、モードは切り換わる。
【００４１】
ＧＵＩ３３０において、ラジオ局及びアーティスト情報についての様々な情報が提示される。いくつかの場合において、ラジオ局と関連する基本的なテキストやラジオ局から受信されたコンテンツなどのこの情報は、ラジオ塔２８０を介して地上波放送から受信されるコンテンツを介して受信できる。あるいは、データパケット２９２を介して受信される情報などのＧＵＩ３３０を介した情報は、インターネット接続から供給できる。図２において説明したように、ユーザが地上波ソースからの放送に積極的に関与してこれを聴取している場合であっても、システム２００により、無線デバイス２６０はインターネットストリーミングチャンネルを介して情報を受信することが可能となる。
【００４２】
ＧＵＩ３４０は、様々な情報と、データパケット２９２（システム２００から発生されたものなど）から獲得される情報のデジタル表示描写とを備える。それゆえ、ディスプレイは、表示情報２４１を（無線デバイス２６０か、または直接的にシステム２００のいずれかから）受信でき、図３に示すように、表示情報２４１をＧＵＩ３４０に変換できる。
【００４３】
図３には、ＧＵＩ３４０の様々な実施例が示されており、受信される地上波ラジオ放送と共に提供できる拡張情報の実施例を提供する。ＧＵＩ３４０に示される情報は、ラジオ放送ではなくインターネット接続から供給される。しかし、上記で考察した概念を用いると、データパケット２９２は、対応するラジオ放送と一致または関連でき、従って、聴取されている局に対応できる。
【００４４】
ＧＵＩ要素３４１及び３４２は、上記で示したシステム３００及びＨＭＩディスプレイ２６５を備えることのできるＧＵＩ要素の単なる実施例である。
【００４５】
図４は、追加のコンテンツをラジオ放送とシームレスに統合する方法４００の実施例を示す。方法４００は、コンピュータ１００などのプロセッサ上で実施できる。
【００４６】
動作４１０において、局が受信される。受信される局は、数多くの技法及び方法を介して発生できる。例えば、ユーザインターフェースと関連するユーザまたはオペレータは、地上波放送ラジオ局と関連する周波数を手動で入力できる。他の実施例において、ユーザはこうした局にスクロールまたは同調できる。局はシークまたは自動検出技法を使用して自動的に選択されてもよい。
【００４７】
上記の実施例は、ユーザが地上波で提供されるラジオ局を選択する例に関係する。他の場合において、ユーザは上記で考察した前述の技法のうちのいずれかを介してインターネットストリーミングチャンネルを選択してもよい。
【００４８】
動作４２０において、上記の受信された局が地上波放送局とインターネットストリーミングチャンネルとの間の対応関係を有するかどうかについて判定がなされる。Ｙｅｓの場合、方法４００は動作４３０に進む。Ｎｏの場合、方法４００は終了に進む。
【００４９】
地上波ラジオ局及びインターネットストリーミング局が一致するかどうかを判定するために、様々な技法を用いることができる。一実施例において、両方から（すなわち、ビットストリームにより、またはアナログ電波を介して情報を送ることができるプロトコルにより）提供されるデータが、受信でき、一致があるかどうかを判定するために分析できる。あるいは、両方のソースからの音声が記録でき、２つの局が相互に一致するかどうかを分析するためにデジタル信号処理（ＤＳＰ）デバイスに送信できる。別の実施例において、ユーザは、地上波で提供されるラジオ局及びインターネットストリーミングチャンネルなどの２つのソース間の一致を手動で入力できる。さらに、地上波局またはインターネットストリーミングチャンネルから受信される実際の情報は、局を別の局へリンクするＵＲＬなどの情報を含んでもよい。
【００５０】
上記で考察した、リンク／一致技法の全てに加えて、方法４００は、後の使用及び回収のために情報を記憶する追加の動作を備えてもよい。
【００５１】
動作４３０において、選択されたラジオ局と関連するデバイスが地上波放送局からのコンテンツを積極的に聴取し、またはこれを提供しているかどうかについて判定がなされる。Ｎｏの場合、方法４００は終了へ進む。Ｙｅｓの場合、方法４００は動作４４０へ進む。
【００５２】
動作４４０において、地上波放送局と一致するインターネットストリーミングチャンネルと関連する追加のデータ（すなわち、データパケット２９２に関して上記で列挙したような非音声データ）があるかどうかについて判定がなされる。Ｎｏの場合、方法４００は終了へ進む。Ｙｅｓの場合、方法４００は動作４５０へ進む。
【００５３】
動作４５０において、インターネットストリーミングチャンネルに対して、データパケット２９２に関して上記で列挙したような非音声コンテンツを求める要求がなされる。データが存在する場合、非音声コンテンツが受信される。
【００５４】
動作４６０において、動作４５０において受信されたデータを表示するかどうかについて判定がなされる。Ｎｏの場合、方法４００は終了へ進む。Ｙｅｓの場合、方法４００は、データを表示する動作４７０へ進む。
【００５５】
方法４００の代替的な実施態様において、動作４５０において受信されたデータは、具体的に規定された状況または信号に基づき後で表示できる。例えば、局にアクセスする無線デバイスが乗り物に設置されているならば、データは、乗り物が「駐車モード」にある場合に表示されるように構成できる。それゆえ、方法４００と関連するユーザは、後日または後でデータにアクセスできる。
【００５６】
図５は、ラジオベースのプログラムと関連するコンテンツを記憶する方法５００の実施例を示す。方法５００は、方法４００に関して考察した要素または動作のいずれかと選択的に組合せることができる。方法５００は、コンピュータ１００などのデバイス上で実施できる。
【００５７】
動作５１０において、インターネットストリーミングチャンネルに一致される（地上波で提供される）ラジオ局の消費または聴取からの切り換えがなされる信号またはデジタル指示が受信される。上記で説明したように、一定の局は、ラジオ塔またはインターネットストリーミングチャンネルなどの様々な媒体を介して提供できる。
【００５８】
この際、記録コマンド（すなわち、音声のデジタル録音）が発生できる場合、この処理が開始できる。記録コマンドとは、その後に回収できる、ラジオ放送と関連する音声を録音することに関連する。
【００５９】
動作５２０において、局からの切り換えによる音声コンテンツが録音される。この動作において、インターネットストリーミングチャンネルと関連する拡張情報がさらに記録される。拡張情報は、データパケット２９２の説明において規定した情報に関連できる。
【００６０】
動作５３０において、ユーザが、動作５１０において切り換えられた局に再びアクセスしたかどうかについて判定がなされる。その後、ユーザは、動作５２０においてさらに記録された追加の／拡張コンテンツを備えるコンテンツにアクセスする選択肢を提示され得る（動作５４０）。
【００６１】
動作５５０において、記録されたコンテンツは標準再生の選択肢（再生／シーク／対話／巻き戻し／早送り等）を備える。ユーザが拡張コンテンツをさらに備えるように要求した場合（動作５４０において）、ユーザにはこの情報も同様に提供される。図２に関して上記で説明したように、拡張コンテンツは、音声コンテンツ及び／または非音声コンテンツ（すなわち、視覚的要素、メタデータ、テキスト、または同様のもの）とすることができる。
【００６２】
コンピュータプログラム（プログラム、モジュール、エンジン、ソフトウェア、ソフトウェアアプリケーション、スプリクト、またはコードとしても知られる）は、コンパイラ型またはインタープリタ型言語、宣言型または手続き型言語を含め、任意の形式のプログラミング言語で書くことができ、プログラムは、スタンドアローン型プログラムとして、または、モジュール、構成要素、サブルーチン、オブジェクト、またはコンピューティング環境における使用に適した他のユニットとしてのものを含め、任意の形で展開できる。コンピュータプログラムは、必須ではないが、ファイルシステム内のファイルに対応できる。プログラムは、他のプログラムまたはデータ（例えば、マークアップ言語ドキュメントに記憶された１つまたは複数のスクリプト）を保持するファイルの一部に、問題となっているプログラム専用の単一のファイルに、または、多数の組織化されたファイル（例えば、１つまたは複数のモジュール、サブプログラム、またはコードの一部を記憶するファイル）に記憶できる。コンピュータプログラムは、１つのコンピュータ上で、または、１つのサイトに配置もしくは多数のサイトに分配されて、通信ネットワークにより相互接続される、多数のコンピュータ上で実行されるように展開できる。
【００６３】
個人との対話を提供するために、本明細書において開示される実施形態は、グラフィカルユーザインターフェース（ＧＵＩ）などの対話型ディスプレイを使用して実施できる。このようなＧＵＩのものは、ポップアップもしくはプルダウンメニューまたはリスト、選択タブ、スキャン可能な特徴、及び人による入力を受信できる他の特徴など、対話型の特徴を備えることができる。
【００６４】
本明細書において開示されるコンピューティングシステムは、クライアント及びサーバを備えてもよい。クライアント及びサーバは、一般に互いから離れており、通常は通信ネットワークを介して対話する。クライアントとサーバの関係は、それぞれのコンピュータ上で実行し、且つ相互にクライアント‐サーバ関係を有するコンピュータプログラムにより生じる。いくつかの実施形態において、サーバは、データ（例えば、ＨＴＭＬページ）をクライアントデバイスへ（例えば、データを表示し、且つ、クライアントデバイスと対話するユーザからのユーザ入力を受信する目的で）送信する。クライアントデバイスで（例えば、ユーザ対話の結果）発生されたデータは、クライアントデバイスからサーバで受信できる。
【００６５】
様々な修正形態及び変形形態が、本発明の精神または範囲から逸脱することなく本発明において実行できることが当業者に明らかであろう。それゆえ、本発明は、本発明のこうした修正形態及び変形形態を、それらが添付の特許請求の範囲及びその均等物の範囲内に入る場合に含むことが意図される。
【図１】
0006339132.tif 000002
【図２】
0006339132.tif 000003
【図３】
0006339132.tif 000004
【図４】
0006339132.tif 000005
【図５】
0006339132.tif 000006